(57)【要約】【課題】アルカリ蓄電池を放電させることなくメモリ効果を低減することができるメモリ効果低減方法、メモリ効果低減回路、このメモリ効果低減回路を用いた電池電源装置、及びこのメモリ効果低減回路を用いた電池利用システムを提供する。【解決手段】二次電池２１を充電する充放電制御回路２２と、二次電池２１を加熱する加熱用ファン２６と、加熱用ファン２６によって二次電池２１の温度を第１温度Ｔ１ｄ以上にさせ、かつ二次電池２１の、理論電気容量Ｑｓに対する充電電気量Ｑの比率である充電比率Ｒｃが第１比率Ｒ１ｄ以上になるまで、充放電制御回路２２によって充電させるメモリ効果低減処理部２８５とを備えた。【選択図】図１
2011192425.tif 000002
【特許請求の範囲】
【請求項１】
アルカリ蓄電池を充電する充電部と、
前記アルカリ蓄電池を加熱する加熱部と、
前記アルカリ蓄電池のメモリ効果を低減させるメモリ効果低減処理を実行するメモリ効果低減処理部とを備え、
前記メモリ効果低減処理は、
前記加熱部によって前記アルカリ蓄電池の温度を予め設定された第１温度以上にさせ、かつ前記アルカリ蓄電池の、理論電気容量に対する充電電気量の比率である充電比率が、予め設定された第１比率以上になるまで、前記充電部によって充電させる処理であること
を特徴とするメモリ効果低減回路。
【請求項２】
前記メモリ効果低減処理部は、
前記メモリ効果低減処理において、
前記アルカリ蓄電池の温度を、前記加熱部によって、前記第１温度以上であってかつ予め設定された第２温度以下の温度にさせること
を特徴とする請求項１記載のメモリ効果低減回路。
【請求項３】
前記第１温度は、４０℃であり、
前記第２温度は、６０℃であること
を特徴とする請求項２に記載のメモリ効果低減回路。
【請求項４】
前記メモリ効果低減処理部は、
前記メモリ効果低減処理において、
前記充電比率が、前記第１比率以上であってかつ予め設定された第２比率以下の比率になるように、前記充電部によって充電させること
を特徴とする請求項１〜３のいずれか１項に記載のメモリ効果低減回路。
【請求項５】
前記第１比率は、８０％であり、
前記第２比率は、１４０％であること
を特徴とする請求項４記載のメモリ効果低減回路。
【請求項６】
前記アルカリ蓄電池におけるメモリ効果の発生を検出するメモリ効果検出部をさらに備え、
前記メモリ効果低減処理部は、
前記メモリ効果検出部によって前記メモリ効果の発生が検出されたときに、前記メモリ効果低減処理を実行すること
を特徴とする請求項１〜５のいずれか１項に記載のメモリ効果低減回路。
【請求項７】
前記アルカリ蓄電池を冷却する冷却部をさらに備え、
前記メモリ効果低減処理部は、
前記メモリ効果低減処理の終了後、前記冷却部によって、前記アルカリ蓄電池を冷却させること
を特徴とする請求項１〜６のいずれか１項に記載のメモリ効果低減回路。
【請求項８】
前記アルカリ蓄電池の充放電電流の電流値を検出する電流検出部と、
前記電流検出部によって検出された電流値を積算することにより、前記アルカリ蓄電池に充電されている電気量を前記充電電気量として算出する充電電気量算出部とをさらに備えること
を特徴とする請求項１〜７のいずれか１項に記載のメモリ効果低減回路。
【請求項９】
前記アルカリ蓄電池は、ニッケル水素二次電池であること
を特徴とする請求項１〜８のいずれか１項に記載のメモリ効果低減回路
【請求項１０】
請求項１〜９のいずれか１項に記載のメモリ効果低減回路と、
前記アルカリ蓄電池と
を備えることを特徴とする電池電源装置。
【請求項１１】
請求項１〜９のいずれか１項に記載のメモリ効果低減回路と、
前記アルカリ蓄電池と、
アプリケーションを実現するための駆動部とを備え、
前記加熱部は、
前記駆動部の動作に伴い排出される廃熱を、前記アルカリ蓄電池まで運ぶことにより、当該アルカリ蓄電池を加熱すること
を特徴とする電池利用システム。
【請求項１２】
アルカリ蓄電池を充電する充電工程と、
前記アルカリ蓄電池を加熱する加熱工程と、
前記アルカリ蓄電池のメモリ効果を低減させるメモリ効果低減処理を実行するメモリ効果低減処理工程とを含み、
前記メモリ効果低減処理は、
前記アルカリ蓄電池の温度を予め設定された第１温度以上にさせ、かつ前記アルカリ蓄電池の、理論電気容量に対する充電電気量の比率である充電比率が、予め設定された第１比率以上になるまで、前記アルカリ蓄電池を充電する処理であること
を特徴とするメモリ効果低減方法。
【発明の詳細な説明】
【技術分野】
【０００１】
本発明は、二次電池のメモリ効果を低減するメモリ効果低減方法、メモリ効果低減回路、このメモリ効果低減回路を用いた電池電源装置、及びこのメモリ効果低減回路を用いた電池利用システムに関する。
【背景技術】
【０００２】
二次電池には、鉛蓄電池やアルカリ蓄電池、リチウムイオン二次電池などがある。中でもニッケル水素蓄電池をはじめとするアルカリ蓄電池は、ハイブリッド車（以下ＨＥＶと記す）や非常用電源などの産業用途を中心に需要が拡大しつつある。例えば、ＨＥＶ用途においては、モータを駆動する主電源として使用されている。そして、主電源であるアルカリ蓄電池はモータ駆動（放電）と発電機からの回生電力の貯蓄（充電）との双方を行うようになっている。
【０００３】
上述のＨＥＶのように、蓄電池を、負荷を駆動するための電力供給（放電）と、回生電力の回収、蓄電との両方の用途に用いる場合には、蓄電池が完全放電（ＳＯＣがほぼ０％）してしまうと負荷を駆動できなくなる。その一方、完全充電（ＳＯＣがほぼ１００％）してしまうと回生電力をそれ以上充電できなくなって、エネルギーの無駄が生じてしまう。
【０００４】
そのため、このような用途に用いられる電池電源装置では、蓄電池の完全放電（ＳＯＣがほぼ０％）や完全充電（ＳＯＣがほぼ１００％）を避けて、ＳＯＣ（State Of Charge）が中間的な値の範囲で維持されるように、蓄電池の充放電を制御している。
【０００５】
また、ＨＥＶ用途のような、瞬時に大電流での充放電が絶え間なく行われる電池電源装置では、個々に容量差を有する複数の蓄電池を接続した際に、最も容量の小さい蓄電池が過充電や過放電に入るのを回避するために、これ以上のＳＯＣに至る充電を禁止する上限ＳＯＣ（例えばＳＯＣ８０％程度）での終止電圧と、これ以下のＳＯＣに至る放電を禁止する下限ＳＯＣ（例えばＳＯＣ２０％程度）での終止電圧を設け、両終止電圧の間で充放電を制御する方法が採用されている。このため、ＨＥＶのような用途では、中間的なＳＯＣ領域での充放電を繰り返すことになる。
【０００６】
ところで、アルカリ蓄電池、例えば正極活物質に水酸化ニッケルを用いるニッケル水素二次電池や、ニッケルカドミウム二次電池等のアルカリ蓄電池は、完全放電を行わない部分充放電サイクルを繰り返すと、充電電圧の上昇や放電電圧の低下が生じて実際に使用できる充放電容量が減少する、いわゆるメモリ効果が発生することが知られている。
【０００７】
そのため、上述のＨＥＶ用途の電池電源装置のように、中間的なＳＯＣ領域でアルカリ蓄電池の充放電を繰り返したり、あるいは携帯型パーソナルコンピュータや携帯電話機のような一般的な電池搭載機器においてもユーザが蓄電池を完全放電させる前に充電を繰り返すような使い方をしたりした場合には、メモリ効果が発生して実質的な充放電容量が減少してしまうという不都合があった。
【０００８】
このようなメモリ効果の影響を低減させるために種々の技術が提案されている。例えば、浅い充放電の回数をカウントし、規定の回数に到達した時点で電池にメモリ効果が生じたものと判定し、強制的に完全放電させる方法が知られている（例えば、特許文献１参照。）。
【０００９】
また、上述のＨＥＶのように、アルカリ蓄電池の使用時にＳＯＣを一定の範囲内に維持するように充放電を制御するシステムにおいて、電池の電圧や電流、温度を検出しながらメモリ効果を判定し、メモリ効果が生じたと判定したときに、そのＳＯＣの許容範囲を拡げることで、結果的に完全放電に近い放電を行わせてメモリ効果を低減する方法が知られている（例えば、特許文献２参照。）。
【先行技術文献】
【特許文献】
【００１０】
【特許文献１】特開平７−１２２３０４号公報
【特許文献２】特開２００３−９４０８号公報
【発明の概要】
【発明が解決しようとする課題】
【００１１】
しかしながら、特許文献１に記載の方法では、メモリ効果を解消するためにアルカリ蓄電池を完全放電させるので、ユーザは、再び蓄電池が充電されるまでその電池搭載機器を使用できないという、不都合がある。また、メモリ効果を解消するためだけに、アルカリ蓄電池を完全放電させるので、エネルギーの無駄が生じるという不都合もある。
【００１２】
また、特許文献２に記載の方法では、使用状態での蓄電池のＳＯＣの許容範囲を拡げることで、結果的に完全放電に近い放電を行わせるので、本来システムが必要としているＳＯＣの許容範囲よりもＳＯＣが小さくなるまで蓄電池を放電させることになって、好ましくない。
【００１３】
本発明の目的は、アルカリ蓄電池を放電させることなくメモリ効果を低減することができるメモリ効果低減方法、メモリ効果低減回路、このメモリ効果低減回路を用いた電池電源装置、及びこのメモリ効果低減回路を用いた電池利用システムを提供することである。
【課題を解決するための手段】
【００１４】
本発明に係るメモリ効果低減回路は、アルカリ蓄電池を充電する充電部と、前記アルカリ蓄電池を加熱する加熱部と、前記アルカリ蓄電池のメモリ効果を低減させるメモリ効果低減処理を実行するメモリ効果低減処理部とを備え、前記メモリ効果低減処理は、前記加熱部によって前記アルカリ蓄電池の温度を予め設定された第１温度以上にさせ、かつ前記アルカリ蓄電池の、理論電気容量に対する充電電気量の比率である充電比率が、予め設定された第１比率以上になるまで、前記充電部によって充電させる処理である。
【００１５】
また、本発明に係るメモリ効果低減方法は、アルカリ蓄電池を充電する充電工程と、前記アルカリ蓄電池を加熱する加熱工程と、前記アルカリ蓄電池のメモリ効果を低減させるメモリ効果低減処理を実行するメモリ効果低減処理工程とを含み、前記メモリ効果低減処理は、前記アルカリ蓄電池の温度を予め設定された第１温度以上にさせ、かつ前記アルカリ蓄電池の、理論電気容量に対する充電電気量の比率である充電比率が、予め設定された第１比率以上になるまで、前記アルカリ蓄電池を充電する処理である。
【００１６】
この構成によれば、アルカリ蓄電池の温度を予め設定された第１温度以上にさせ、かつ前記アルカリ蓄電池の、理論電気容量に対する充電電気量の比率である充電比率が、予め設定された第１比率以上になるまでアルカリ蓄電池を充電するメモリ効果低減処理が実行されて、アルカリ蓄電池のメモリ効果が低減される。本発明者らは、このようなメモリ効果低減処理によって、アルカリ蓄電池のメモリ効果が低減されることを見出した。これにより、アルカリ蓄電池を放電させることなくメモリ効果を低減することができる。
【００１７】
また、前記メモリ効果低減処理部は、前記メモリ効果低減処理において、前記アルカリ蓄電池の温度を、前記加熱部によって、前記第１温度以上であってかつ予め設定された第２温度以下の温度にさせることが好ましい。
【００１８】
この構成によれば、前記メモリ効果低減処理において、アルカリ蓄電池の温度が第１温度以上であってかつ第２温度以下の温度範囲にされた状態で、アルカリ蓄電池の充電が行われる。本発明者らは、このようなメモリ効果低減処理によって、アルカリ蓄電池のメモリ効果が低減されることを見出した。これにより、アルカリ蓄電池を放電させることなくメモリ効果を低減することができる。
【００１９】
また、前記第１温度は、４０℃であり、前記第２温度は、６０℃であることが好ましい。
【００２０】
この構成によれば、前記メモリ効果低減処理において、アルカリ蓄電池の温度が４０℃以上であってかつ６０℃以下の温度範囲にされた状態で、アルカリ蓄電池の充電が行われる。本発明者らは、このようなメモリ効果低減処理によって、アルカリ蓄電池のメモリ効果が低減されることを見出した。これにより、アルカリ蓄電池を放電させることなくメモリ効果を低減することができる。
【００２１】
また、前記メモリ効果低減処理部は、前記メモリ効果低減処理において、前記充電比率が、前記第１比率以上であってかつ予め設定された第２比率以下の比率になるように、前記充電部によって充電させることが好ましい。
【００２２】
この構成によれば、前記メモリ効果低減処理において、充電比率が、第１比率以上であってかつ第２比率以下の比率になるように、アルカリ蓄電池が充電される。本発明者らは、このようなメモリ効果低減処理によって、アルカリ蓄電池のメモリ効果が低減されることを見出した。これにより、アルカリ蓄電池を放電させることなくメモリ効果を低減することができる。
【００２３】
また、前記第１比率は、８０％であり、前記第２比率は、１４０％であることが好ましい。
【００２４】
この構成によれば、前記メモリ効果低減処理において、充電比率が、８０％以上であってかつ１４０％以下の比率になるように、アルカリ蓄電池が充電される。本発明者らは、このようなメモリ効果低減処理によって、アルカリ蓄電池のメモリ効果が低減されることを見出した。これにより、アルカリ蓄電池を放電させることなくメモリ効果を低減することができる。
【００２５】
また、前記アルカリ蓄電池におけるメモリ効果の発生を検出するメモリ効果検出部をさらに備え、前記メモリ効果低減処理部は、前記メモリ効果検出部によって前記メモリ効果の発生が検出されたときに、前記メモリ効果低減処理を実行することが好ましい。
【００２６】
この構成によれば、アルカリ蓄電池においてメモリ効果が発生すると、メモリ効果検出部によってメモリ効果の発生が検出される。そして、メモリ効果低減処理部は、メモリ効果検出部によってメモリ効果の発生が検出されたとき、すなわちアルカリ蓄電池においてメモリ効果が発生したときに、自動的にメモリ効果低減処理を実行する結果、アルカリ蓄電池のメモリ効果が低減されるので、ユーザの利便性が向上する。
【００２７】
また、前記アルカリ蓄電池を冷却する冷却部をさらに備え、前記メモリ効果低減処理部は、前記メモリ効果低減処理の終了後、前記冷却部によって、前記アルカリ蓄電池を冷却させることが好ましい。
【００２８】
アルカリ蓄電池は、メモリ効果低減処理において加熱されて高温状態になったまま、使用されて充放電すると、劣化を生じるおそれがある。そこでこの構成によれば、メモリ効果低減処理が終了すると、冷却部によって、アルカリ蓄電池が冷却されるので、メモリ効果低減処理後に高温状態になったまま、アルカリ蓄電池が使用されるおそれが低減する。従って、アルカリ蓄電池が劣化するおそれを低減することが可能となる。
【００２９】
また、前記アルカリ蓄電池の充放電電流の電流値を検出する電流検出部と、前記電流検出部によって検出された電流値を積算することにより、前記アルカリ蓄電池に充電されている電気量を前記充電電気量として算出する充電電気量算出部とをさらに備えることが好ましい。
【００３０】
この構成によれば、電流検出部によって検出されたアルカリ蓄電池の充放電電流の電流値が、充電電気量算出部により積算されて、前記充電電気量が算出されるので、メモリ効果低減処理部は、充電電気量算出部により算出された充電電気量に基づいて、メモリ効果低減処理を実行することができる。
【００３１】
また、前記アルカリ蓄電池は、ニッケル水素二次電池であることが好ましい。
【００３２】
上述のメモリ効果低減処理は、ニッケル水素二次電池に対して好適に適用可能である。
【００３３】
また、本発明に係る電池電源装置は、上述のメモリ効果低減回路と、前記アルカリ蓄電池とを備える。
【００３４】
この構成によれば、アルカリ蓄電池を備えた電池電源装置において、アルカリ蓄電池を放電させることなくメモリ効果を低減することができる。
【００３５】
また、本発明に係る電池利用システムは、上述のメモリ効果低減回路と、前記アルカリ蓄電池と、アプリケーションを実現するための駆動部とを備え、前記加熱部は、前記駆動部の動作に伴い排出される廃熱を、前記アルカリ蓄電池まで運ぶことにより、当該アルカリ蓄電池を加熱することが好ましい。
【００３６】
この構成によれば、上述のメモリ効果低減回路と、アルカリ蓄電池と、アプリケーションを実現するための駆動部とを備えた電池利用システムにおいて、アルカリ蓄電池を放電させることなくメモリ効果を低減することができる。また、駆動部の動作に伴い排出される廃熱によって、アルカリ蓄電池を加熱することができるので、アルカリ蓄電池を加熱するためのエネルギーを低減することが容易である。
【発明の効果】
【００３７】
このような構成のメモリ効果低減回路、電池電源装置、電池利用システム、及びメモリ効果低減方法は、アルカリ蓄電池を放電させることなくメモリ効果を低減することができる。
【図面の簡単な説明】
【００３８】
【図１】本発明の一実施形態に係るメモリ効果低減方法を用いるメモリ効果低減回路、電池電源装置、及び電池利用システムの構成の一例を、概念的に示すブロック図である。
【図２】図１に示す電池電源装置の動作の一例を示すフローチャートである。
【図３】図１に示す電池電源装置の動作の一例を示すフローチャートである。
【図４】アルカリ蓄電池の一例であるニッケル水素二次電池を用いて、メモリ効果の解消効果を確認するために行った実験結果を示す表である。
【発明を実施するための形態】
【００３９】
以下、本発明に係る実施形態を図面に基づいて説明する。なお、各図において同一の符号を付した構成は、同一の構成であることを示し、その説明を省略する。図１は、本発明の一実施形態に係るメモリ効果低減方法を用いるメモリ効果低減回路、電池電源装置、及び電池利用システムの構成の一例を、概念的に示すブロック図である。
【００４０】
図１に示す電池利用システム１は、例えばハイブリッド車を簡略化して示したものであり、電池電源装置２と、モータ３と、エンジン４と、ダクト６，７とを備えている。モータ３とエンジン４とは、エンジンルーム５に収容されている。この場合、モータ３とエンジン４とが、ハイブリッド車を実現するための駆動部の一例に相当している。
【００４１】
なお、電池利用システムは、ハイブリッド車に限らない。例えば、家庭用コージェネレーションシステムや産業用電源システム等のタフユース、太陽光発電システム、ＵＰＳ等のバックアップ用電源装置の他、携帯型パーソナルコンピュータ、デジタルカメラ、携帯電話機、電気自動車等、種々の電池駆動機器やシステム等の電池利用システムの電源として、電池電源装置２を用いることができる。
【００４２】
電池電源装置２は、二次電池２１、充放電制御回路２２（充電部）、電圧検出部２３、電流検出部２４、温度検出部２５、加熱用ファン２６（加熱部）、冷却用ファン２７（冷却部）、及び制御部２８を備えている。そして、充放電制御回路２２には、モータ３が接続されている。この場合、電池電源装置２から二次電池２１を除いた残余の部分が、メモリ効果低減回路の一例に相当している。
【００４３】
また、ダクト６は、エンジンルーム５内の高温の空気を加熱用ファン２６へ導くように配設されている。ダクト７は、車外の外気を冷却用ファン２７へ導くように配設されている。
【００４４】
二次電池２１は、アルカリ蓄電池であり、例えばニッケル水素二次電池である。二次電池２１は、複数のセルが組み合わされた組電池として構成されていてもよい。そして、二次電池２１は、電流検出部２４を介して充放電制御回路２２と接続されている。
【００４５】
充放電制御回路２２は、モータ３を駆動する際は、二次電池２１を放電させて、その放電電流をモータ３へ供給する。また、充放電制御回路２２は、モータ３によって発生する回生電流を二次電池２１へ充電する。充放電制御回路２２は、制御部２８から送信される二次電池２１のＳＯＣ（State Of Charge）に基づいて、通常、二次電池２１のＳＯＣが２０〜８０％程度の範囲内になるように二次電池２１の充放電を制御する。
【００４６】
なお、電池利用システム１は、モータ３の代わりに、二次電池２１からの電力によって駆動される負荷回路と、発電装置とを備えていてもよい。そして、充放電制御回路２２は、発電装置からの余剰電力を二次電池２１に充電したり、負荷回路の消費電流が急激に増大した場合や発電装置の発電量が低下して負荷装置の要求する電力が発電装置の出力を超えた場合に、二次電池２１から不足の電力を負荷装置へ供給したりするものであってもよい。
【００４７】
あるいは、充放電制御回路２２は、例えば商用電源に接続されて、商用電源から得られた電力によって、二次電池２１を充電するようになっていてもよい。
【００４８】
電圧検出部２３は、例えばアナログデジタルコンバータ等で構成されており、二次電池２１の端子電圧を検出する。そして、電圧検出部２３は、当該端子電圧の電圧値である端子電圧値Ｖｔを示す信号を制御部２８へ出力する。
【００４９】
電流検出部２４は、例えば、二次電池２１と直列接続された抵抗素子や電流変成器、及びアナログデジタルコンバータ等で構成されており、二次電池２１を流れる充放電電流を検出する。そして、電流検出部２４は、当該検出された充放電電流の電流値Ｉｃを示す信号を、制御部２８へ出力する。電流検出部２４は、例えば、検出された充放電電流が、二次電池２１の充電方向であった場合、電流値Ｉｃをプラスの値で示し、二次電池２１の放電方向であった場合、電流値Ｉｃをマイナスの値で示すようになっている。
【００５０】
温度検出部２５は、例えば熱電対やサーミスタ、アナログデジタルコンバータ等で構成されており、二次電池２１の温度ｔを検出する。そして、温度検出部２５は、温度ｔを示す信号を、制御部２８へ出力する。
【００５１】
加熱用ファン２６は、制御部２８からの制御信号に応じて駆動し、エンジンルーム５内の、モータ３やエンジン４の廃熱による高温の空気を、ダクト６を介して吸引し、二次電池２１にあてることで、二次電池２１を加熱する。なお、加熱部は、駆動部の廃熱により生じた高温の空気を搬送することにより二次電池２１を加熱するものに限られず、例えば熱伝導性の材料やヒートパイプを用いて、廃熱を二次電池２１まで運ぶことで、二次電池２１を加熱するものであってもよい。
【００５２】
また、加熱部は、ヒータであってもよい。しかしながら、加熱用ファン２６や熱伝導等を利用して廃熱を運ぶ構成を用いて加熱部を構成することにより、ヒータを用いて二次電池２１を加熱する場合よりも、加熱に要するエネルギーを低減することが容易である。
【００５３】
冷却用ファン２７は、制御部２８からの制御信号に応じて駆動し、外気を、ダクト７を介して吸引し、二次電池２１にあてることで二次電池２１を冷却する。なお、冷却部は、例えばペルチェ素子等を用いて二次電池２１を冷却するものであってもよく、その冷却手段は限定されない。
【００５４】
制御部２８は、例えば所定の演算処理を実行するＣＰＵ（Central Processing Unit）と、所定の制御プログラムが記憶された不揮発性のＲＯＭ（Read Only Memory）と、データを一時的に記憶するＲＡＭ（Random Access Memory）と、その周辺回路等とを備えて構成されている。
【００５５】
また、制御部２８は、例えばＲＯＭに記憶された制御プログラムを実行することにより、充電電気量算出部２８１、ＳＯＣ算出部２８２、充電比率算出部２８３、メモリ効果検出部２８４、及びメモリ効果低減処理部２８５として機能する。
【００５６】
充電電気量算出部２８１は、電流検出部２４から出力された電流値Ｉｃを、継続的に、例えば単位時間毎に積算することによって、二次電池２１に充電されている電気量である充電電気量Ｑを算出する。この積算の際、充電電気量算出部２８１は、例えば、電流値Ｉｃが充電方向（＋）を示す場合、電流値Ｉｃに充電効率（１よりも小さい係数、例えば０．８）を乗算してから積算する。
【００５７】
ＳＯＣ算出部２８２は、充電電気量算出部２８１により算出された充電電気量Ｑと、二次電池２１の満充電容量ＦＣＣとに基づいて、下記の式（１）を用いて二次電池２１のＳＯＣを算出し、充放電制御回路２２へ送信する。
【００５８】
ＳＯＣ＝（Ｑ／ＦＣＣ）×１００  （％）  ・・・（１）
ここで、二次電池２１の満充電容量ＦＣＣは、劣化していない初期状態では、理論電気容量Ｑｓに等しい。しかしながら、二次電池２１は、使用に伴い劣化すると、満充電容量ＦＣＣが減少し、理論電気容量Ｑｓより少なくなる。
【００５９】
そこで、ＳＯＣ算出部２８２は、例えば、二次電池２１が満充電状態から端子電圧値Ｖｔが予め設定された放電終止電圧になるまで放電されたときに、電流検出部２４で検出された電流値Ｉｃを積算することで、満充電状態から完全放電に至るまでの放電電荷量を算出し、この放電電荷量を満充電容量ＦＣＣとすることで、劣化に伴う満充電容量ＦＣＣの減少を補正するようになっている。
【００６０】
なお、理論電気容量Ｑｓは、二次電池２１の電極に用いられている活物質の組成と、その活物質の量とによって決まる二次電池２１の理論上の電池容量である。
【００６１】
充電比率算出部２８３は、充電電気量算出部２８１により算出された充電電気量Ｑと、二次電池２１の理論電気容量Ｑｓとに基づいて、例えば下記の式（２）を用いて二次電池２１の充電比率Ｒｃを算出する。式（２）では、充電比率Ｒｃを百分率で表す例を示している。
【００６２】
Ｒｃ＝（Ｑ／Ｑｓ）×１００  （％）  ・・・（２）
メモリ効果検出部２８４は、二次電池２１におけるメモリ効果の発生を検出する。具体的には、例えば、メモリ効果検出部２８４は、充電比率算出部２８３によって算出された充電比率Ｒｃが、予め設定された基準比率Ｒｒｅｆになったときに電圧検出部２３により検出される端子電圧値Ｖｔが、予め設定された基準電圧Ｖｒｅｆに満たない場合、二次電池２１においてメモリ効果が発生したと判定する。
【００６３】
基準電圧Ｖｒｅｆは、例えば以下のように設定することができる。例えばまだ劣化していない初期状態の二次電池２１を、充電比率Ｒｃが基準比率Ｒｒｅｆになるように充電したときの、その端子電圧値Ｖｔにマージンを持たせて端子電圧値Ｖｔより僅かに低い電圧値を、基準電圧Ｖｒｅｆとして設定することができる。
【００６４】
また、基準比率Ｒｒｅｆとしては、任意の値を選択することができる。しかしながら、二次電池２１においてメモリ効果発生を検出する機会を増やす観点から、通常使用状態において、実際になる可能性の高い充電比率Ｒｃの値を基準比率Ｒｒｅｆとして設定することが望ましい。例えば、基準比率Ｒｒｅｆとして５０％を用いることができる。
【００６５】
例えば、二次電池２１がニッケル水素二次電池の単セルであって、基準比率Ｒｒｅｆが５０％であった場合、基準電圧Ｖｒｅｆとして、１．２０Ｖを用いることができる。また、二次電池２１がニッケル水素二次電池のセルを複数直列接続した組電池であった場合には、１．２０Ｖにその直列数を乗算した値を、基準電圧Ｖｒｅｆとして用いることができる。
【００６６】
なお、メモリ効果検出部２８４は、そのメモリ効果の検出方法は特定の方法に限定されない。メモリ効果検出部２８４は、例えば特開平７−１２２３０４号公報に記載の方法や、特開２００３−９４０８号公報に記載の方法、あるいはその他の方法によって、二次電池２１におけるメモリ効果の発生を検出するものであってもよい。
【００６７】
メモリ効果低減処理部２８５は、メモリ効果検出部２８４によってメモリ効果の発生が検出されたときにのみ、下記のメモリ効果低減処理を実行する。すなわち、メモリ効果低減処理部２８５は、加熱用ファン２６を駆動させて、温度検出部２５により検出される温度ｔすなわち二次電池２１の温度ｔを、第１温度Ｔ１ｄ以上、かつ第２温度Ｔ２ｕ以下の温度に上昇させる。
【００６８】
そして、メモリ効果低減処理部２８５は、温度ｔが、第１温度Ｔ１ｄ以上、かつ第２温度Ｔ２ｕ以下の温度範囲内になると、充電比率算出部２８３により算出される充電比率Ｒｃが、第１比率Ｒ１ｄ以上、かつ第２比率Ｒ２ｕ以下の比率に予め設定された設定比率Ｒｓになるまで、充放電制御回路２２から二次電池２１へ充電電流を供給させて、二次電池２１を充電させる。
【００６９】
第１温度Ｔ１ｄとしては４０℃、第２温度Ｔ２ｕとしては６０℃を用いることができる。また、第１比率Ｒ１ｄとしては８０％、第２比率Ｒ２ｕとしては１４０％を用いることができる。なお、第１温度Ｔ１ｄ、第２温度Ｔ２ｕ、第１比率Ｒ１ｄ、及び第２比率Ｒ２ｕは、必ずしも４０℃、６０℃、８０％、及び１４０％に限られず、後述する実施例で示すような実験を行うことによって、実際に使用する二次電池２１の特性に応じて適宜設定することができる。
【００７０】
次に、上述のように構成されたメモリ効果低減回路を用いた電池電源装置２の動作について説明する。図２、図３は、図１に示す電池電源装置２の動作の一例を示すフローチャートである。
【００７１】
まず、電圧検出部２３によって二次電池２１の端子電圧値Ｖｔが検出され、電流検出部２４によって二次電池２１に流れる電流の電流値Ｉｃが検出され、温度検出部２５によって二次電池２１の温度ｔが検出される（ステップＳ１）。
【００７２】
次に、充電電気量算出部２８１によって、電流検出部２４で検出された電流値Ｉｃが、例えば単位時間毎に積算されて、充電電気量Ｑが算出される（ステップＳ２）。
【００７３】
そして、充電比率算出部２８３によって、充電電気量算出部２８１により算出された充電電気量Ｑと、二次電池２１の理論電気容量Ｑｓとに基づいて、例えば上述の式（２）を用いて二次電池２１の充電比率Ｒｃが算出される（ステップＳ３）。
【００７４】
ステップＳ１〜Ｓ３の処理は、常時継続的に実行されて、以下、図３のフローチャートで示す処理と並行して実行される。これにより、端子電圧値Ｖｔ、電流値Ｉｃ、温度ｔ、及び充電比率Ｒｃが、常時最新の値に更新されるようになっている。
【００７５】
次に、図３を参照して、メモリ効果検出部２８４によって、充電比率Ｒｃと基準比率Ｒｒｅｆとが比較される（ステップＳ１１）。そして、メモリ効果検出部２８４は、放電により充電比率Ｒｃと基準比率Ｒｒｅｆとが等しくなるまでステップＳ１１を繰り返し（ステップＳ１１でＮＯ）、放電により充電比率Ｒｃと基準比率Ｒｒｅｆとが等しくなると（ステップＳ１１でＹＥＳ）、ステップＳ１２へ移行する。
【００７６】
ステップＳ１２において、メモリ効果検出部２８４によって、端子電圧値Ｖｔと基準電圧Ｖｒｅｆとが比較され（ステップＳ１２）、端子電圧値Ｖｔが基準電圧Ｖｒｅｆ以上であればメモリ効果は発生していないと判定されて、再びステップＳ１１へ移行する（ステップＳ１２でＮＯ）。
【００７７】
一方、端子電圧値Ｖｔが基準電圧Ｖｒｅｆに満たなければ（ステップＳ１２でＹＥＳ）、メモリ効果検出部２８４によって、メモリ効果が発生していると判定されて、以下、ステップＳ１３〜Ｓ１９のメモリ効果低減処理を実行するべくステップＳ１３へ移行する。
【００７８】
このように、前記アルカリ蓄電池の端子電圧を検出する電圧検出部をさらに備え、前記メモリ効果検出部は、前記アルカリ蓄電池における前記充電比率が予め設定された基準比率になったときに前記電圧検出部により検出される端子電圧が、予め設定された基準電圧に満たない場合、前記アルカリ蓄電池におけるメモリ効果の発生を検出するようになっている。
【００７９】
この構成によれば、メモリ効果検出部は、アルカリ蓄電池の充電比率が基準比率になったときの端子電圧が、基準電圧に満たない場合、アルカリ蓄電池におけるメモリ効果の発生を検出することができる。
【００８０】
以上、ステップＳ１〜Ｓ３、及びステップＳ１１、Ｓ１２の処理によれば、二次電池２１にメモリ効果が発生したことが検出されて、自動的にメモリ効果低減処理が実行されるので、ユーザの利便性が向上する。
【００８１】
なお、メモリ効果検出部２８４は、二次電池２１の放電時、すなわち電流値Ｉｃがマイナスの値であるときのみ、放電電圧である端子電圧値Ｖｔを用いてステップＳ１２を実行するようにしてもよい。二次電池２１は、開路電圧（OCV：Open circuit voltage）よりも、電圧の方がメモリ効果による電圧低下が大きくなるので、放電電圧を用いてメモリ効果の発生の有無を判定する方が、開路電圧を用いてメモリ効果の発生の有無を判定するよりもメモリ効果の検出精度が向上する。
【００８２】
また、メモリ効果検出部２８４は、二次電池２１を、予め設定された基準電流値、例えば１Ｉｔで放電させた状態で、その放電電圧である端子電圧値Ｖｔを用いてステップＳ１２を実行するようにしてもよい。この場合、メモリ効果を判定する際における二次電池２１の放電電流値が常に一定の値になるので、メモリ効果の発生の有無を判定するための判定条件のバラツキが低減されて、メモリ効果の検出精度が向上する。
【００８３】
ここで、１Ｉｔ（電池容量（Ａｈ）／１（ｈ））は、二次電池２１の理論電気容量（公称容量）を定電流で放電して、１時間で二次電池２１の残容量がゼロとなる電流値である。
【００８４】
次に、メモリ効果低減処理部２８５によって、加熱用ファン２６が駆動されて、エンジンルーム５内の高温の空気がダクト６を介して取り込まれ、二次電池２１へ供給される（ステップＳ１３）。これにより、二次電池２１が加熱されて温度ｔが上昇する。
【００８５】
次に、メモリ効果低減処理部２８５によって、温度ｔと第１温度Ｔ１ｄ（例えば４０℃）とが比較され（ステップＳ１４）、温度ｔが第１温度Ｔ１ｄに満たなければ（ステップＳ１４でＮＯ）、ステップＳ１３に戻って二次電池２１の加熱が継続される。その一方、温度ｔが第１温度Ｔ１ｄ以上になると（ステップＳ１４でＹＥＳ）、メモリ効果低減処理部２８５から充放電制御回路２２へ充電を要求する要求信号が出力されて、充放電制御回路２２から二次電池２１へ充電電流が供給され、二次電池２１が充電される（ステップＳ１５）。
【００８６】
次に、メモリ効果低減処理部２８５によって、充電比率Ｒｃと設定比率Ｒｓとが比較され（ステップＳ１６）、充電比率Ｒｃが設定比率Ｒｓに満たなければ（ステップＳ１６でＮＯ）、ステップＳ１７に移行して温度ｔと第２温度Ｔ２ｕ（例えば６０℃）とが比較される（ステップＳ１７）。
【００８７】
そして、温度ｔが第２温度Ｔ２ｕに満たなければ（ステップＳ１７でＮＯ）、温度ｔが第１温度Ｔ１ｄ以上、かつ第２温度Ｔ２ｕ以下の範囲内に入っているから、メモリ効果低減処理部２８５は、そのままステップＳ１４へ移行して以降の処理を繰り返す。一方、温度ｔが第２温度Ｔ２ｕ以上であれば（ステップＳ１７でＹＥＳ）、このまま加熱を継続すると温度ｔが第２温度Ｔ２ｕを超えてしまうから、メモリ効果低減処理部２８５によって、加熱用ファン２６が停止されて、温度ｔが第１温度Ｔ１ｄ以上、かつ第２温度Ｔ２ｕ以下の範囲内に維持される（ステップＳ１８）。
【００８８】
他方、ステップＳ１６において、充電に伴い充電比率Ｒｃが増大し、設定比率Ｒｓ以上になったとき（ステップＳ１６でＹＥＳ）、設定比率Ｒｓは、第１比率Ｒ１ｄ以上かつ第２比率Ｒ２ｕ以下の範囲内の値に設定されているのであるから、二次電池２１の充電比率Ｒｃが第１比率Ｒ１ｄ以上かつ第２比率Ｒ２ｕ以下の範囲内になったことになる。このとき、本発明の発明者らは、後述する実施例で示すように、二次電池２１におけるメモリ効果が解消することを見出した。
【００８９】
そこで、充電比率Ｒｃが設定比率Ｒｓ以上になると（ステップＳ１６でＹＥＳ）、二次電池２１におけるメモリ効果が解消したものと考えられるので、メモリ効果低減処理部２８５から充放電制御回路２２へ充電の停止を要求する要求信号が出力されて、充放電制御回路２２による二次電池２１の充電が停止され（ステップＳ１９）、メモリ効果低減処理を終了する。
【００９０】
そして、メモリ効果低減処理部２８５は、メモリ効果低減処理の終了後、加熱用ファン２６を停止する。そして、メモリ効果低減処理部２８５は、冷却用ファン２７を駆動して、ダクト７を介して低温の外気を吸引し、二次電池２１に供給することによって、二次電池２１を冷却する（ステップＳ２０）。
【００９１】
二次電池２１は、メモリ効果低減処理中においては、第１温度Ｔ１ｄ以上に加熱されている。しかしながら、二次電池２１は、第１温度Ｔ１ｄ以上の高温状態で使用され、充放電されると、劣化を招くおそれがあり、好ましくない。そこで、メモリ効果低減処理部２８５は、メモリ効果低減処理の終了後に二次電池２１を、使用に適した温度に冷却することで、メモリ効果低減処理の終了後において二次電池２１が使用され、充放電する際に劣化するおそれを低減するようになっている。
【００９２】
なお、ステップＳ１６において、設定比率Ｒｓの代わりに第１比率Ｒ１ｄを用いてもよい。また、ステップＳ１６において、充電比率Ｒｃと設定比率Ｒｓとを比較する代わりに、直接、充電比率Ｒｃが第１比率Ｒ１ｄ以上かつ第２比率Ｒ２ｕ以下の範囲内であるか否かを判定し、当該範囲内であればステップＳ１９へ移行し、範囲外であればステップＳ１７へ移行するようにしてもよい。
【００９３】
しかしながら、例えば、携帯型パーソナルコンピュータ、デジタルカメラ、携帯電話機、電気自動車等、二次電池２１に回生電力の受け入れ余地を残しておく必要のない電池利用システムにおいては、例えば設定比率Ｒｓを１００％に設定しておくことで、メモリ効果低減処理を終了した際に、二次電池２１を満充電にしておくことができるので、ユーザの利便性が向上する。
【００９４】
また、ハイブリッド自動車のように、二次電池２１に回生電力の受け入れ余地を残しておく必要がある電池利用システムにおいては、設定比率Ｒｓを例えば第１比率Ｒ１ｄ（例えば８０％）に設定しておくことで、二次電池２１が回生電力を受け入れできなくなって、エネルギーを無駄にしてしまうおそれが低減される。
【００９５】
以上、ステップＳ１３〜Ｓ１９のメモリ効果低減処理によれば、二次電池２１は、加熱されて温度ｔが第１温度Ｔ１ｄ以上、かつ第２温度Ｔ２ｕ以下の範囲内に維持された状態で、充電比率Ｒｃが、第１比率Ｒ１ｄ以上かつ第２比率Ｒ２ｕ以下の範囲内になるまで充電される。これにより、メモリ効果を低減することができるので、二次電池２１を放電させることなくメモリ効果を低減することができる。
【００９６】
なお、温度検出部２５を備えて、温度検出部２５で検出された温度ｔに基づき、ステップＳ１４、Ｓ１７の処理によって、二次電池２１の温度ｔを第１温度Ｔ１ｄ以上、かつ第２温度Ｔ２ｕ以下の範囲内に維持する例を示したが、必ずしも温度検出部２５を備える必要はない。
【００９７】
例えば、加熱用ファン２６やヒータ等の加熱部を用いて、二次電池２１の温度ｔを第１温度Ｔ１ｄ以上、かつ第２温度Ｔ２ｕ以下の範囲内にするのに必要な加熱時間を予め求めて記憶しておき、ステップＳ１４において、このような加熱時間だけ経過した後にステップＳ１５へ移行するようにしてもよい。
【００９８】
また、メモリ効果検出部２８４、及びステップＳ１１、Ｓ１２を備えず、任意のタイミングで、例えばユーザの操作指示に応じる等してステップＳ１３以降のメモリ効果低減処理を実行するようにしてもよい。
【実施例】
【００９９】
図４は、アルカリ蓄電池の一例であるニッケル水素二次電池を用いて、メモリ効果の解消効果を確認するために行った実験結果を示す表である。実験に用いたニッケル水素二次電池は、以下のように作製した。
【０１００】
まず、水酸化ニッケルに、水酸化コバルト、カルボキシメチルセルロース（ＣＭＣ、エーテル化度０．７、重合度１６００）、ポリテトラフルオロエチレン（ＰＴＦＥ）を加え、さらに水を添加して練合し、ペーストを得た。このペーストを、発砲タイプのニッケル基板の両面に塗着した。ペーストの塗膜は、乾燥後、基板とともにローラでプレスした。こうして、厚み０．４ｍｍ、幅４０ｍｍ、長さ８５０ｍｍ、容量５０００ｍＡｈの正極を得た。なお正極の長手方向に沿う一端部には、リード部を設けた。
【０１０１】
そして、長手方向に沿う一端部に露出部を有する、厚み０．３ｍｍ、幅４０ｍｍ、長さ９３０ｍｍ、容量７５００ｍＡｈのＬｍＮｉ５系（ここでＬｍは軽希土類元素すなわちＬａ、Ｎｄ、Ｃｅ、Ｐｒからなる混合物を示す）の水素吸蔵合金を使用した負極を用い、Ｄサイズで公称容量（理論電気容量）５０００ｍＡｈのニッケル水素二次電池を作製した。
【０１０２】
具体的には、正極と負極とを、スルホン化処理したポリプロピレン不織布からなるセパレータ（厚み１００μｍ）を介して捲回し、円柱状の極板群を作製した。極板群では、正極合剤を担持しない正極芯材の露出部と、負極合剤を担持しない負極芯材の露出部とを、それぞれ反対側の端面に露出させた。正極芯材が露出する極板群の端面には正極集電板を溶接した。負極芯材が露出する極板群の端面に負極集電板を溶接する一方、正極集電板と接続された正極タブを封口板と溶接した。
【０１０３】
そして、負極集電板を下方にして極板群を円筒形の有底缶からなる電池ケースに収容した後、負極集電板と接続された負極タブを電池ケースの底部と溶接した。さらに水酸化カリウムを主成分としたアルカリ電解液を注入した後、周縁にガスケットを具備する封口板にて電池ケースの開口部を封口し、ニッケル水素二次電池を作製した。
【０１０４】
このようにして作製したニッケル水素二次電池（理論電気容量５０００ｍＡｈ）を２５℃雰囲気下、１Ｉｔ（５０００ｍＡ）の放電電流で、充電比率Ｒｃを３０％から７０％まで充電し、７０％から３０％まで放電させる充放電サイクルを５０サイクル行った。
【０１０５】
このとき、１サイクル目の充放電サイクルにおける放電時において、充電比率Ｒｃが５０％となったときの放電電圧は、１．２５Ｖであった。また、メモリ効果が発生したと判定するための基準電圧Ｖｒｅｆとして、１．２０Ｖを用いた。
【０１０６】
そして、５０サイクル目の充放電サイクルにおける放電時において、充電比率Ｒｃが５０％となったときの放電電圧は、１．１４Ｖであり、基準電圧Ｖｒｅｆを下回った。これにより、試験対象のニッケル水素二次電池に、メモリ効果が発生したことを確認した。
【０１０７】
このようにしてメモリ効果を発生させたニッケル水素二次電池を、３５℃、４０℃、５０℃、６０℃、７０℃の各雰囲気下に置いてニッケル水素二次電池の温度ｔを、当該各温度にさせた後、各温度において、それぞれ充電比率Ｒｃが７５％、８０％、１１０％、１４０％、１５０％の各比率になるまで１Ｉｔ（５０００ｍＡ）の充電電流で充電した。その後、各比率に充電されたニッケル水素二次電池を、１Ｉｔ（５０００ｍＡ）で放電し、充電比率Ｒｃが５０％になったときの放電電圧を測定した。このようにして得られた放電電圧の測定値Ｖｍを、図４の表に示した。
【０１０８】
まず、雰囲気温度（温度ｔ）が３５℃のときは、充電比率Ｒｃが７５％〜１５０％になるまで充電した全ての場合において、測定値Ｖｍが基準電圧Ｖｒｅｆである１．２０Ｖに満たず、従って、メモリ効果は解消しなかった。
【０１０９】
また、雰囲気温度（温度ｔ）が７０℃のときは、充電比率Ｒｃが７５％、８５％の場合、測定値Ｖｍが基準電圧Ｖｒｅｆである１．２０Ｖに満たず、従って、メモリ効果は解消しなかった。さらに、雰囲気温度（温度ｔ）が７０℃であって、かつ充電比率Ｒｃが１１０％以上のときは、酸素過電圧が低下し、電解液の分解、及び酸素発生が過多となって電解液の漏液が発生し、測定値Ｖｍを測定することができなかった。
【０１１０】
また、充電比率Ｒｃが１５０％のときは、測定値Ｖｍを測定可能な３５℃〜６０℃の全ての温度範囲において、測定値Ｖｍが基準電圧Ｖｒｅｆである１．２０Ｖに満たず、従って、メモリ効果は解消しなかった。
【０１１１】
一方、雰囲気温度（温度ｔ）を４０℃以上、６０℃以下の温度範囲にした場合において、かつ充電比率Ｒｃが８０％以上、１４０％以下の範囲になるまで充電したときは、全ての測定値Ｖｍが、１．２４Ｖ〜１．２５Ｖとなり、基準電圧Ｖｒｅｆである１．２０Ｖを超えてメモリ効果が解消することが確認できた。
【０１１２】
特に、実験に用いたニッケル水素二次電池は、１サイクル目の充放電サイクルにおける放電時、すなわち初期状態の、劣化もメモリ効果も発生していないときの測定値Ｖｍが１．２５Ｖである。
【０１１３】
そうすると、温度範囲を４０℃以上、６０℃以下とし、かつ充電比率Ｒｃが８０％以上、１４０％以下の範囲になるまで充電したときの測定値Ｖｍが１．２４Ｖ〜１．２５Ｖであることは、メモリ効果解消処理後の測定値Ｖｍが、初期値である１．２５Ｖの有効数字の誤差範囲内に収まっていることを意味し、ほぼ完全に近い状態でメモリ効果が解消するという、極めて良好な実験結果が得られた。
【０１１４】
この実験結果から、第１温度Ｔ１ｄとして４０℃が、第２温度Ｔ２ｕとして６０℃が、第１比率Ｒ１ｄとして８０％が、第２比率Ｒ２ｕとして１４０％が、それぞれ好適であることが確認できた。
【０１１５】
第１比率Ｒ１ｄ、第２比率Ｒ２ｕ、第１温度Ｔ１ｄ、及び第２温度Ｔ２ｕは、同様の実験によって適宜設定することが可能であり、例えば６０℃を超えるような温度に加熱したり、あるいは１４０％を超えるような充電比率に充電しても、メモリ効果の解消効果が得られることが確認できれば、第２比率Ｒ２ｕや第２温度Ｔ２ｕを用いない構成としてもよい。
【産業上の利用可能性】
【０１１６】
本発明に係るメモリ効果低減回路、電池電源装置、電池利用システム、及びメモリ効果低減方法は、簡易的な構成でメモリ効果を低減させる電源システムが具現化できるので、アルカリ蓄電池の利点であるタフユース（ＨＥＶ、家庭用コージェネ、産業用）用途での利用可能性は高く、かつその効果が高いと考えられる。また、本発明に係るメモリ効果低減回路、電池電源装置、電池利用システム、及びメモリ効果低減方法は、メモリ効果を生じるアルカリ電池を用いる種々のシステムに、好適に用いることができる。
【符号の説明】
【０１１７】
１  電池利用システム
２  電池電源装置
３  モータ
４  エンジン
５  エンジンルーム
６，７  ダクト
２１  二次電池
２２  充放電制御回路
２３  電圧検出部
２４  電流検出部
２５  温度検出部
２６  加熱用ファン
２７  冷却用ファン
２８  制御部
２８１  充電電気量算出部
２８２  ＳＯＣ算出部
２８３  充電比率算出部
２８４  メモリ効果検出部
２８５  メモリ効果低減処理部
Ｉｃ  電流値
Ｑ  充電電気量
Ｑｓ  理論電気容量
Ｒ１ｄ  第１比率
Ｒ２ｕ  第２比率
Ｒｃ  充電比率
Ｒｒｅｆ  基準比率
Ｒｓ  設定比率
Ｔ１ｄ  第１温度
Ｔ２ｕ  第２温度
Ｖｍ  測定値
Ｖｒｅｆ  基準電圧
Ｖｔ  端子電圧値
【図１】
2011192425.tif 000003
【図２】
2011192425.tif 000004
【図３】
2011192425.tif 000005
【図４】
2011192425.tif 000006